(57)【要約】【課題】  景品交換所の景品読取機による景品のチェック結果及び計数結果を娯楽遊技施設においても利用できるような景品用カセットを提供すること。【解決手段】  本発明は、娯楽遊技施設１０において遊技者２０の遊技の結果に応じて発行される景品のうち、当該遊技者２０から景品を買い取ると共に前記娯楽遊技施設１０に当該景品を売り戻す第三者機関を介して前記娯楽遊技施設１０に環流されることが予定された景品４０、を収容することに適した景品用カセット４５である。本発明の景品用カセット４５は、複数の景品４０を収容する収容部４５ｈと、前記収容部４５ｈに収容された複数の景品４０の情報を記憶することができる情報記憶部４５ｍと、を備える。【選択図】  図１
2005176977.tif 000002
【特許請求の範囲】
【請求項１】
複数個の景品を収容する景品用カセットであって、
複数個の景品を収容する収容部と、
前記収容部に収容される複数個の景品に関する情報を記憶することができる情報記憶部と、
を備えたことを特徴とする景品用カセット。
【請求項２】
前記情報記憶部は、ＩＣチップを有する
ことを特徴とする請求項１に記載の景品用カセット。
【請求項３】
前記景品は、同型同大の複数種類の景品を含んでおり、
各種類の景品は、それぞれ所定の価値を有するものである
ことを特徴とする請求項１または２に記載の景品用カセット。
【請求項４】
前記情報記憶部に記憶される情報は、前記収容部に収容される景品の種類、個数及び合計価値を含む
ことを特徴とする請求項３に記載の景品用カセット。
【請求項５】
景品交換所に設置される景品読取機に接続可能に構成され、当該景品読取機によって読み取られた景品を収容するとともに、収容された景品に関する情報を前記情報記憶部に記憶する
ことを特徴とする請求項１乃至４のいずれかに記載の景品用カセット。
【請求項６】
遊技場に設置される景品払出機に接続可能に構成され、接続状態において収納中景品を当該景品払出機によって払い出せるようになっている
ことを特徴とする請求項１乃至５のいずれかに記載の景品用カセット。
【請求項７】
請求項１乃至６のいずれかに記載の景品用カセットが接続されるとともに、読み取った景品を前記景品用カセットに収納する景品読取機であって、
収納された景品に関する情報を、当該景品用カセットの前記情報記憶部に書き込む情報書込部を備えた
ことを特徴とする景品読取機。
【請求項８】
請求項１乃至６のいずれかに記載の景品用カセットが接続されるとともに、当該景品用カセットに収納されている景品を払い出す景品払出機であって、
接続された景品用カセットの情報記憶部に記憶された情報を読み取る情報読取手段と、
前記情報読取手段が読み取った情報を在庫情報として管理する在庫情報管理手段と、
を備えたことを特徴とする景品払出機。
【請求項９】
予め現金を装填され、払出指示に基づいて前記現金を払い出す現金管理機であって、
請求項１乃至６のいずれかに記載の景品用カセットの情報記憶部に記憶された情報を読み取る情報読取手段と、
前記情報読取手段が読み取った情報に基づいて算出される金額の現金を払い出す制御手段と、
を備えたことを特徴とする現金管理機。
【請求項１０】
請求項１乃至６のいずれかに記載の景品用カセットと、
請求項７に記載の景品読取機と、
請求項８に記載の景品払出機と、
を備えたことを特徴とする景品交換システム。
【請求項１１】
請求項９に記載の現金管理機
を更に備えたことを特徴とする請求項１０に記載の景品交換システム。
【発明の詳細な説明】
【技術分野】
【０００１】
本発明は、娯楽遊技施設（例えばパチンコホール）において遊技者の遊技の結果（例えばパチンコの出玉数）に応じて発行される景品のうち、当該遊技者から景品を買い取ると共に前記娯楽遊技施設に当該景品を売り戻す第三者機関（いわゆる景品交換所）を介して前記娯楽遊技施設に環流されることが可能な景品（特殊景品）を収容することを目的とした特殊景品用カセットに関するものである。
【背景技術】
【０００２】
従来の景品交換システムについて、図５を参照しながら説明する。
【０００３】
図５に示すように、従来の景品交換システムは、娯楽遊技施設５０と、遊技客６０と、景品交換所７０と、の三者から構成されている。これゆえ、図５の景品交換システムは、「三店方式」と呼ばれることもある。
【０００４】
娯楽遊技施設５０には、景品カウンターが設けられており、景品カウンターには、景品払出機５１が設置されている。景品払出機５１には、予め、景品がセットされている。景品払出機５１の一例は、例えば特開平９−３８３２８号に開示されている。
【０００５】
景品払出機５１には、景品管理ターミナル（ＰＯＳと呼ばれる）５２が接続されている。景品管理ターミナル５２は、遊技客６０が所持する景品交換レシートを読み取る。そして、当該レシートに記載された遊技結果（玉数やメダル数）に対応する景品８０が、景品払出機５１から払い出される。
【０００６】
景品８０は、所定の金銭価値が認められるような景品であり、金製品や、コイン入りのカード等が一般的である。
【０００７】
遊技客６０は、景品８０を換金する場合、景品交換所７０を訪れる。景品交換所７０には、景品読取機７１が設置されている。景品読取機７１は、景品８０の種類及び真偽をチェックすると共に、景品８０の個数を計数できるようになっている。景品交換所７０のスタッフは、景品読取機７１の計数結果に基づいて、対応する金銭価値に相当する現金を、手作業または現金出金機を介して遊技客６０に提供する。これにより、遊技客６０にとっての換金作業が完了する。
【０００８】
景品交換所７０が遊技客６０から景品８０を買い取るのは、当該特殊景品を娯楽遊技施設５０が買い戻してくれるからである。通常、娯楽遊技施設５０は、景品交換所７０が遊技客６０に払い出す現金の金額に、数パーセントのマージン（手数料）を加えた金額で、景品８０を買い戻す。
【０００９】
景品交換所７０のスタッフは、景品８０がある程度の量になったら、箱などの容器にそれら特殊景品を入れて娯楽遊技施設５０に持参する。
【００１０】
娯楽遊技施設５０のスタッフは、景品交換所７０のスタッフが特殊景品を持参してきたら、それらの種類と数をチェックして、対応する現金（前記のように、通常はマージンを含めた額）を、手作業または現金管理機を介して景品交換所７０のスタッフに払い出す。
【００１１】
娯楽遊技施設５０のスタッフは、前記のようにして景品交換所７０から買い戻した景品８０を、再び景品払出機５１内にセットする。以上のようにして、景品８０はエンドレスに環流を続ける。
【特許文献１】特開平９−３８３２８号公報
【特許文献２】特開平８−１４１１８９号公報
【発明の開示】
【発明が解決しようとする課題】
【００１２】
以上のような従来の交換システムには、以下のような問題があった。
【００１３】
すなわち、景品交換所７０のスタッフは、遊技客６０が持参した景品８０について、景品読取機７１を用いてその種類及び真偽をチェックして個数を計数するが、娯楽遊技施設５０のスタッフも、景品交換所７０のスタッフが持参した特殊景品について、略同様の作業を行っている。これは作業の重複であり、無駄である。また、特に後者の作業は手作業で行われているため、労力がかかるばかりでなく、数え違い等による各種の違算事故が起きやすい。
【００１４】
本発明は、このような事情に鑑みてなされたもので、景品交換所の景品読取機による特殊景品のチェック結果及び計数結果を娯楽遊技施設においても利用できるような特殊景品用カセットを提供することを目的とする。
【課題を解決するための手段】
【００１５】
本発明は、複数個の景品を収容する景品用カセットであって、複数個の景品を収容する収容部と、前記収容部に収容される複数個の景品に関する情報を記憶することができる情報記憶部と、を備えたことを特徴とする景品用カセットである。
【００１６】
本発明によれば、景品用カセットの情報記憶部に景品（例えば特殊景品）の情報を記憶させることができるため、例えば特殊景品のチェック結果及び計数結果を有効に利用することができる。
【００１７】
好ましくは、前記情報記憶部は、ＩＣチップを有する。ＩＣチップは、情報書き込み性能、情報保持性能、及び、情報読み取り性能に優れる超小型の記憶媒体である。
【００１８】
前記景品は、１種類が用意されるより、複数種類が用意される方が便利である。後者の場合、各種類の景品は同型同大であることが好ましい。その場合、同一の景品用カセットを、各種類の景品に共通に利用することができる。なお、各種類の景品は、それぞれ所定の価値を有し得る。例えば３種類の景品であれば、それぞれ、例えば、２００円相当、１０００円相当、２０００円相当の金銭価値が認められ得る。
【００１９】
この場合、好ましくは、前記情報記憶部に記憶される情報は、前記収容部に収容された景品の種類、個数、及び、合計価値である。これらの情報は、特殊景品の情報として極めて有用である。当該情報を情報記憶部に記憶することで、当該情報を再度チェック（計測）するという無駄から開放される。
【００２０】
また、景品用カセットは、景品交換所に設置される景品読取機に接続され、当該景品読取機によって読み取られた景品を収容するとともに、収容された景品に関する情報を前記情報記憶部に記憶することが好ましい。これにより、それ以後、景品読取機によって読み取られた景品の情報が有効に利用され、当該情報の再取得のための作業が不要となる。
【００２１】
この場合、更に、景品が種類別に景品用カセットに収容されることが好ましい。これにより、景品を効率的に収容することができる。
【００２２】
また、景品用カセットは、遊技場に設置される景品払出機に接続可能に構成され、接続状態において収納中景品を当該景品払出機によって払い出せるようになっていることが好ましい。この場合、景品が種類別に景品払出機に移載されることが好ましい。これにより、景品を効率的に景品払出機に戻すことができる。
【００２３】
また、本発明は、前記のいずれかの特徴を有する景品用カセットが接続される景品読取機であって、読み取った景品に関する情報を前記情報記憶部に書き込む情報書込部を備えたことを特徴とする景品読取機である。
【００２４】
また、本発明は、前記のいずれかの特徴を有する景品用カセットが接続される景品払出機であって、接続された景品用カセットの情報記憶部に記憶された情報を読み取る情報読取手段と、前記情報読取手段が読み取った情報を在庫情報として管理する在庫情報管理手段と、を備えたことを特徴とする景品払出機である。
【００２５】
このような景品払出機では、景品用カセットから補充される景品の個数等の情報が読み出されて利用され得るため、これら情報の手入力の必要が無くなり、個数確認等の労力削減が達成され、入力間違いに起因するトラブルからも開放され得る。
【００２６】
また、本発明は、予め現金を装填され、払出指示に基づいて前記現金を払い出す現金管理機であって、前記のいずれかの特徴を有する景品用カセットの情報記憶部に記憶された情報を読み取る情報読取手段と、前記情報読取手段が読み取った情報に基づいて算出される金額の現金を払い出す制御手段と、を備えたことを特徴とする現金管理機である。
【００２７】
また、本発明は、前記のいずれかの特徴を有する景品用カセットと、前記の特徴を有する景品読取機と、前記の特徴を有する景品払出機と、を備えたことを特徴とする景品交換システムである。好ましくは、当該景品交換システムは、前記の特徴を有する現金管理機を更に備える。
【発明の効果】
【００２８】
以上のように、本発明の景品用カセット、景品読取機、景品払出機、現金管理機および景品交換システムを利用すれば、景品交換所の景品読取機による景品のチェック結果及び計数結果を、娯楽遊技施設においても利用することができる。これにより、スタッフの労力軽減が図られる他、各種の違算事故も防止され得る。
【発明を実施するための最良の形態】
【００２９】
次に、図１を用いて、本発明の景品用カセットの一実施の形態を用いた景品環流システム（景品交換システム）について詳しく説明する。
【００３０】
パチンコホール等の娯楽遊技施設１０には、景品カウンターが設けられており、景品カウンターには、景品払出機１１が設置されている。景品払出機１１には、予め、ある程度の量の景品（特殊景品）４０がセットされている。
【００３１】
景品４０は、所定の金銭価値が認められるような景品であり、ここではコイン入りのカードである。本実施の形態では、２００円の金銭価値に対応するカードと、１０００円の金銭価値に対応するカードと、２０００円の金銭価値に対応するカードと、の３種類が用意されている。各景品４０には、価値情報や店舗情報等が記録される情報記録部（例えば、バーコードやＩＣチップ等）が設けられている。
【００３２】
景品払出機１１には、景品管理ターミナル（ＰＯＳと呼ばれる）１２が接続されている。景品管理ターミナル１２は、遊技客２０が所持する景品交換レシートを読み取る。そして、当該レシートに記載された遊技結果（玉数やメダル数）に対応する景品４０が、景品払出機１１から払い出されるようになっている。
【００３３】
一方、遊技客２０から景品４０を買い取ると共にこれを娯楽遊技施設１０へ納入する景品交換所３０には、景品読取機３１が設置される。景品読取機３１は、景品４０の情報記録部の情報を読み取って景品の種類や真偽をチェックすると共に、景品４０の個数を計数できるようになっている。
【００３４】
また、本実施の形態の景品読取機３１は、入出金管理機３２を介して、現金払出機３３が接続されている。そして、景品読取機３１の計数結果に基づいて、対応する金銭価値に相当する現金が、現金払出機３３から遊技客２０に提供されるようになっている。これにより、遊技客２０にとっての実質的な換金作業が実現されるようになっている。なお、遊技客２０に対する現金の払出しを円滑に行うために、ある程度の現金が現金払出機３３に予めセットされる。
【００３５】
本実施の形態の景品読取機３１は、３つの一次貯留部３１ａ〜３１ｃを有しており、３種類の景品を各一次貯留部３１ａ〜３１ｃのそれぞれに種類別に収容できるようになっている。
【００３６】
また、本実施の形態の景品読取機３１には、本発明による景品用カセット４５が接続可能となっている。景品用カセット４５は、カード状の景品４０を、例えば複数列の柱状に収容できる収容部４５ｈを有している。そして、両者が接続された状態で、各一次貯留部３１ａ〜３１ｃに収容された景品４０の数が所定数となった場合に、当該所定数の景品４０が景品用カセット４５の収容部４５ｈ内に自動的に収納されるようになっている。
【００３７】
本実施の形態では、前記所定数は、景品用カセット４５の収容部４５ｈの柱状の一列分の収容数と同一に設定されている。これにより、景品用カセット４５の同一列内に収容される景品４０を、同一種類としている。もっとも、前記所定数を景品用カセット４５の収容数と同一として、景品用カセット４５に収容される景品４０を同一種類としてもよい。
【００３８】
また、本発明による景品用カセット４５は、情報記憶部としてのＩＣチップ４５ｍを有している。ＩＣチップ４５ｍは、収容部４５ｈに収容された景品４０の種類、数、及び、金銭価値の合計額の情報を記憶するようになっている。
【００３９】
そして、景品読取機３１には、ＩＣチップ４５ｍに対して情報を書き込むことができる情報書込部としてのＩＣライタ３１ｗが設けられている。情報書込部３１ｗは、景品４０が景品用カセット４５の各列に収容される際に、それらの種類、数、及び、金銭価値の合計額をＩＣチップ４５ｍに書き込むようになっている。
【００４０】
景品４０が景品用カセット４５の収容部４５ｈの全ての列に収容される、すなわち、景品用カセット４５が景品４０によって満杯になると、景品用カセット４５は満杯表示部（不図示）によってその旨を表示するようになっている。
【００４１】
以上より、満杯表示部によって満杯状態が表示された景品用カセット４５のＩＣチップ４５ｍには、収容部４５ｈに収容された各列毎の景品４０の種類、数、及び、金銭価値の合計額が、各列毎に記憶されていることになる。
【００４２】
景品読取機３１には、常に景品用カセット４５が接続されていることが好ましい。従って、本実施の形態のシステムにおいては、景品用カセット４５は余裕を持った数が用意されて、景品交換所３０にて保管されている。
【００４３】
なお、景品用カセット４５は、景品交換所３０から娯楽遊技施設１０に運搬されることが意図されている。従って、セキュリティの観点から、景品用カセット４５には施錠機構付きの蓋４５ｃが設けられている。本実施の形態では、スタッフのみが所持するキーによって、蓋４５ｃの開閉がなされ得るようになっている。
【００４４】
さて、娯楽遊技施設１０の事務所部分には、現金管理機１５が設置されている。現金管理機１５は、本発明による景品用カセット４５が接続可能となっている。両者が接続された状態で、本実施の形態の現金管理機１５は、例えばＩＣリーダライタ１５ｒによって景品用カセット４５のＩＣチップ４５ｍの情報を読み取って、景品４０の買い戻しの対価金額を算出することができる。
【００４５】
本実施の形態の場合、現金管理機１５は、景品交換所３０において遊技客２０に払い出される現金の金額に、数パーセントのマージン（手数料）を加えた金額を算出するようになっている。具体的には、収容部４５ｈに収容された景品４０の各列毎の合計金額を積算した額に、数パーセントのマージンを加えた額を算出するようになっている。
【００４６】
また、本実施の形態のＩＣリーダライタ１５ｒは、ＩＣチップ４５ｍに記憶された情報のうち、金銭価値の合計金額についての情報を初期化（リセット）できるようになっている。
【００４７】
また、本実施の形態では、娯楽遊技施設１０の景品払出機１１も、本発明による景品用カセット４５が接続可能となっている。両者が接続された状態で、本実施の形態の景品払出機１１は、例えばＩＣリーダライタ１１ｒによって景品用カセット４５のＩＣチップ４５ｍの情報を読み取ることによって、景品払出機１１内の景品４０の在庫情報を更新することができる。具体的には、景品払出機１１内の景品４０の在庫情報は、景品払出機１１に接続された景品管理ターミナル１２に記憶されており、ＩＣチップ４５ｍから読み出される情報に基づいて更新されるようになっている。
【００４８】
また、本実施の形態のＩＣリーダライタ１１ｒは、ＩＣチップ４５ｍに記憶された情報を初期化（リセット）できるようになっている。
【００４９】
次に、前記のような景品環流システム（景品換金システム）の利用の一例について説明する。
【００５０】
娯楽遊技施設１０での遊技を終えた遊技客２０は、遊技結果（獲得した玉数やメダル数）を記録した景品交換レシートを持って、景品カウンターに向かう。景品カウンターにおいて、景品管理ターミナル１２が景品交換レシートを読み取り、当該レシートに記載された遊技結果に対応する景品４０が、景品払出機１１から遊技客２０に払い出される。この時、景品管理ターミナル１２にて記憶される景品４０の在庫情報が、払い出された景品４０の種類及び個数に基づいて更新される。
【００５１】
遊技客２０は、景品４０を換金しようと考えた場合、景品４０を持って景品交換所３０を訪れる。景品交換所３０では、景品読取機３１によって、遊技客２０により持参された景品４０の種類及び真偽がチェックされ、当該景品４０の種類別の個数が計数されて、種類別に各一次貯留部３１ａ〜３１ｃに収容される。
【００５２】
景品交換所３０のスタッフは、景品読取機３１の計数結果に基づいて、対応する金銭価値に相当する現金を現金払出機３３を介して遊技客２０に提供する。これにより、遊技客２０にとっての換金作業が完了する。
【００５３】
景品交換所３０において、景品交換所３０のスタッフは、収容部４５ｈが空の状態であって情報記憶部４５ｍが初期化された状態にある景品用カセット４５を、蓋４５ｃを開けて景品読取機３１に接続しておく。
【００５４】
景品読取機３１においては、一人の遊技客との取引が終了すると、各一時貯留部に収容されていた景品が、対応する景品用カセット４５の収容部４５ｈへ送り込まれ、集積状態で収容される。
【００５５】
この時、景品読取機３１の情報書込部としてのＩＣライタ３１ｗが、ＩＣチップ４５ｍに対して、景品用カセット４５の当該列に収容される景品４０の種類、数、及び、金銭価値の合計額を列毎に書き込む。尚、景品４０が送り込まれるたびに、ＩＣチップの情報は加算更新される。
【００５６】
景品読取機３１による遊技客２０からの景品の回収（換金）が更に進むと、景品４０が景品用カセット４５の収容部４５ｈの全ての列に収容される。すなわち、景品用カセット４５が景品４０によって満杯になる。この時、景品用カセット４５は、満杯表示部（不図示）によってその旨を表示する。この状態で、景品用カセット４５のＩＣチップ４５ｍには、収容部４５ｈに収容された各列毎の景品４０の種類、数、及び、金銭価値の合計額が、各列毎に記憶されていることになる。
【００５７】
景品交換所３０のスタッフは、景品読取機３１に接続した景品用カセット４５が満杯になると、当該景品用カセット４５を景品読取機３１から取り外して、蓋４５ｃを閉める。景品読取機３１には、収容部４５ｈが空の状態であって情報記憶部４５ｍが初期化された状態にある別の景品用カセット４５が、蓋４５ｃが開けられて接続される。尚、景品用カセット４５を景品読取機３１から取り外し動作に連動して、景品用カセット４５の蓋４５ｃが閉じられてロックされる構造をとってもよい。このようにすれば、景品用カセット４５を取り外した後に景品を紛失することを防止できる。
【００５８】
景品４０が収容され蓋４５ｃが閉止状態にある景品用カセット４５は、景品交換所３０のスタッフによって、娯楽遊技施設１０の事務所部分に持参される。そして、事務所に設置される現金管理機１５のＩＣリーダライタ１５ｒによって、景品用カセット４５のＩＣチップ４５ｍの情報を読み取らせる。読み取った情報に基づいて、現金管理機１５は、景品４０の買い戻しの対価金額を算出する。具体的には、現金管理機１５は、収容部４５ｈに収容された景品４０の各列毎の合計金額を積算し、更に数パーセントのマージンを加えた額を算出する。
【００５９】
娯楽遊技施設１０のスタッフは、算出された額に相当する現金を、手作業であるいは現金管理機１５から、景品交換所３０のスタッフに払い出す。この作業が行われた時、例えば娯楽遊技施設１０のスタッフの手入力によって、現金管理機１５のＩＣリーダライタ１５ｒがＩＣチップ４５ｍに、現金を出金済みである旨の情報を書き込む。一方、払い出された現金は、景品交換所３０のスタッフによって景品交換所３０に持って行かれ、景品交換所３０の現金払出機３３にセットされる。
【００６０】
現金管理機１５に接続された景品用カセット４５は、その後、現金管理機１５から取り外されて、景品払出機１１に接続される。
【００６１】
両者が接続されると、景品払出機１１のＩＣリーダライタ１１ｒが景品用カセット４５のＩＣチップ４５ｍの情報を読み取る。そして、景品払出機１１内の景品４０の在庫情報を更新する。具体的には、景品管理ターミナル１２に記憶された景品払出機１１内の景品４０の在庫情報が、ＩＣチップ４５ｍから読み出される情報に基づいて更新される。
【００６２】
その後、景品用カセット４５の蓋４５ｃが開けられ、収容部４５ｈに収容されていた景品４０が、景品払出機３１に手作業で補充される。この時、景品４０は収容部４５ｈ内の各列毎に同一種類が収容されているため、補充作業が容易に行える。景品用カセット４５の収容部４５ｈの全体が単一種類の景品４０を収容する場合には、景品４０を景品払出機３１に自動的に移載するように構成することも可能である。
【００６３】
前記補充作業が行われた後、空になった景品用カセット４５は、例えば娯楽遊技施設１０のスタッフの手入力に基づいて、景品払出機１１のＩＣリーダライタ１１ｒによってＩＣチップ４５ｍ内に記憶された情報が初期化（リセット）される。
【００６４】
その後、景品用カセット４５は景品払出機１１から取り外されて、例えば景品交換所３０のスタッフによって景品交換所３０に戻され、再び景品読取機３１に装着されて再使用される。
【００６５】
以上のように、本実施の形態の景品環流システムによれば、景品読取機３１によってチェック・計数されて景品用カセット４５に収容された景品４０の種類、個数、金銭価値の合計額の情報を、景品用カセット４５のＩＣチップ４５ｍに記憶させることができる。そして、当該情報を、景品４０の買い戻しの際、及び、景品払出機１１への景品４０の補充の際に利用することができる。すなわち、景品４０の買い戻しの際、及び、景品払出機１１への景品４０の補充の際に、当該情報を再度チェック（計測）するという無駄から開放される。
【００６６】
ＩＣチップ４５ｍは、情報書き込み性能、情報保持性能、及び、情報読み取り性能に優れる超小型の記憶媒体であるので、本発明において好適である。
【００６７】
また、本実施の形態においては、３種類の景品４０が同型同大であるため、同一の景品用カセット４５を、各種類の景品４０に共通に利用することができる。
【００６８】
また、景品用カセット４５は、景品交換所３０に設置される景品読取機３１に接続可能に構成されているため、景品読取機３１によって読み取られた景品４０を効率的に収容することができる。
【００６９】
また、景品読取機３１によって読み取られた景品４０は、景品用カセット４５の収容部４５ｈの各列毎に種類別に収容されるため、景品払出機１１への補充作業を極めて容易に行うことができる。
【００７０】
また、景品交換カウンターにおいては、景品払出機１１に補充される景品の種類や個数等の情報を自動的に読み込んで利用するため、これら情報の手入力の必要が無くなり、在庫確認等の労力削減が達成され、入力間違いに起因するトラブルからも開放され得る。
【００７１】
なお、景品用カセット４５から景品払出機１１への景品４０の移載が自動的に行われるような構成も採用され得る。この場合、景品４０は種類別に景品払出機１１に移載されることが好ましい。これにより、景品４０を効率的に景品払出機１１に戻すことができる。
【００７２】
また、ＩＣチップ４５ｍは、景品用カセット４５に内蔵されてもよいし、外付けされてもよい。
【００７３】
また、景品４０が収容された景品カセット４５を景品払出機１１の内部に装着し、そのままの状態で景品４０の払出動作を行うようにしてもよい。このようにすれば、景品カセット４５から景品払出機１１への景品４０の移送が必要なくなる。
【００７４】
また、ＩＣチップ４５ｍにおける情報の記憶の態様は、前記実施の形態に限定されない。例えば、金銭価値の合計額の情報については、各列毎でなく、景品用カセット４５の全体について積算された額のみを記憶してもよい。
【００７５】
また、情報記憶部としては、ＩＣチップ４５ｍの他、磁気を利用する記憶媒体等、種々の公知の媒体が利用可能である。
【００７６】
以下、図２乃至図４を参照して、景品４０を景品カセット４５ごと景品払出機１１の内部に装着する場合について説明する。図２乃至図４に示す場合、１つの景品用カセット４５に１種類のみの景品４０が収容されるように運用される。
【００７７】
図２は、景品読取機３１の構成例の詳細を示すブロック図である。図２に示すように、景品読取機３１は、景品セット検知手段３１ｄ、繰出手段３１ｅ、景品情報読取手段３１ｆ、搬送手段３１ｇ、操作部３１ｈ、表示部３１ｉ、電源部３１ｊ、通信Ｉ／Ｆ部３１ｋ、記憶部３１ｌ、カセット対応部３１ｍ、制御部３１ｒを有している。
【００７８】
カセット対応部３１ｍは、振分手段３１ｎとカセット装填部３１ｏとを有しており、カセット装填部３１ｏは、カセット装着検知手段３１ｐとカセットデータ書込手段（具体的には、ＩＣライタ）３１ｗとを有している。
【００７９】
本例では、１つの景品用カセット４５に１種類のみの景品４０が収容される一方、複数種類（ここでは３種類）の景品４０の流通を許容するべく、景品読取機３１は景品の種類毎にカセット対応部３１ｍを有している（３個有している）。
【００８０】
図２の景品読取機３１は、以下のように作用する。
【００８１】
遊技客２０から渡された景品４０は、係員によって投入部（不図示）にセットされる。
【００８２】
操作部３１ｈのスタート指示ボタンが操作されると、繰出手段３１ｅが駆動し、景品４０が１枚ずつ繰り出される。
【００８３】
繰り出された景品４０は、搬送手段３１ｇによって搬送されつつ、景品情報読取手段３１ｆによって各景品毎に景品情報（真偽、種別等）が読み取られる。そして、対応する振分手段３１ｎによって、景品４０は対応する一時貯留部へ送り込まれる。このとき、読み取られた景品情報は記憶部３１ｌに順次一時記憶される。
【００８４】
一人の遊技客２０による１回の景品投入処理（景品の取引）が終了すると、操作部３１ｈの払出指示ボタンが操作される。これにより、記憶部３１ｌに一時記憶されていた景品情報が、景品読取機３１に接続された入出金管理機３２に送信される。そして、入出金管理機３２及び入出金管理機３２に接続された現金払出機３３を介して、景品相当分の現金が払い出される。
【００８５】
現金の払い出しが確認されると、操作部３１ｈのクリアボタンが操作される。これにより、一時貯留部内の景品４０が対応する景品用カセット４５の収容部４５ｈへ送り込まれるとともに、記憶部３１ｌに一時記憶されていた景品情報に基づいてカセットデータ書込手段３１ｗが景品用カセット４５の情報記憶部（ＩＣチップ）４５ｍの情報を加算更新し、１回の景品交換処理が終了する。
【００８６】
また、景品用カセット４５内の景品が所定数（満杯近くに設定される）に達すると、表示部３１ｉあるいは入出金管理機３２の表示部（不図示）に、景品用カセット４０の交換を促す情報が表示される。
【００８７】
入出金管理機３２及び現金払出機３３は、それぞれ公知の任意のものが利用され得る。
【００８８】
次に、図３は、現金管理機１５の構成例の詳細を示すブロック図である。図３に示すように、現金管理機１５は、操作部１５ａ、表示部１５ｂ、カセットデータ読取手段（具体的には、ＩＣリーダライタ）１５ｒ、印字部１５ｃ、記憶部１５ｄ、電源部１５ｅ、紙幣払出手段１５ｆ、紙幣収納部１５ｇ、紙幣識別手段１５ｈ、紙幣投入部１５ｉ、硬貨払出手段１５ｊ、硬貨収納部１５ｋ、硬貨識別手段１５ｌ、硬貨投入部１５ｍ、制御部１５ｎを有している。
【００８９】
紙幣払出手段１５ｆと紙幣収納部１５ｇとは、対をなして、各紙幣種類毎に対応して複数設けられている。同様に、硬貨払出手段１５ｊと硬貨収納部１５ｋとは、対をなして、各硬貨種類毎に対応して複数設けられている。
【００９０】
図３の現金管理機１５は、予め現金（紙幣及び硬貨）が装填されて、以下のように作用する。
【００９１】
まず、カセットデータ読取手段１５ｒが、景品交換所から回収された各景品用カセット４５の情報記憶部４５ｍのデータを読み取る。そして、表示部１５ｄが、読み取られたデータに対応する合計金額を表示する。
【００９２】
次に、係員によって操作部１５ａの出金指示ボタンが操作されて、現金が払い出される。ここで、金種ごとの枚数については、予め設定された条件に基づいて決定される。また、現金の払い出し時に、印字部１５ｃが、出金明細書を印字して出力する。
【００９３】
出金された現金は、景品交換所の現金払出機３３に装填される。
【００９４】
次に、図４は、景品払出機１１の構成例の詳細を示すブロック図である。図４に示すように、景品払出機１１は、操作部１１ａ、係員側表示部１１ｂ、店員側表示部１１ｃ、記憶部１１ｄ、電源部１１ｅ、通信Ｉ／Ｆ部１１ｆ、カセット装填部１１ｇ、制御部１１ｋを有している。
【００９５】
カセット装填部１１ｇは、カセット装着検知手段１１ｈ、景品エンプティ検知手段１１ｉ、カセットデータ読取・書込手段（具体的には、ＩＣリーダライタ）１１ｒ及び景品払出手段１１ｊを有している。
【００９６】
本例では、１つの景品用カセット４５に１種類のみの景品４０が収容される一方、複数種類（ここでは３種類）の景品４０の流通を許容するべく、景品払出機１１は景品の種類毎にカセット装填部１１ｇを有している（３個有している）。
【００９７】
図４の景品払出機１１は、以下のように作用する。
【００９８】
景品が収納された景品用カセット４５が対応するカセット装填部１１ｇに装填されると、景品用カセット４５は景品払出機１１と一体となって、景品払出機１１の景品供給部として機能するようになる。また、この時、カセットデータ読取・書込手段１１ｒによって、情報記憶部４５ｍ内のデータが読み取られる。
【００９９】
読み取られたカセットデータは、景品払出機１１の記憶部１１ｄに、在庫情報として記憶される。これにより、景品カセットごとの在庫状況が管理される。
【０１００】
景品管理ターミナル１２から景品払出指示（種類、枚数を含む）を受けると、対応する景品払出手段１１ｊが作動されて、景品が払い出される。この時、記憶部１１ｄの在庫情報が減算されると共に、景品用カセット４５の情報記憶部４５ｍにも減算後の情報が書き込まれる。
【０１０１】
景品の在庫情報が所定値以下になると、その旨の情報が表示部１１ｂ、１１ｃに表示され、及び／または、景品管理ターミナル１２に通知される。
【０１０２】
なお、何らかの事情によって景品用カセット４５がカセット装填部１１ｇから取り外されると、当該カセット４５に装填されていた景品数が、記憶部１１ｄの在庫情報から減算される。
【図面の簡単な説明】
【０１０３】
【図１】本発明の景品用カセットの一実施の形態を用いた景品交換システムを示す概略図。
【図２】景品読取機の構成例の詳細を示すブロック図。
【図３】現金管理機の構成例の詳細を示すブロック図。
【図４】景品払出機の構成例の詳細を示すブロック図。
【図５】従来の景品換金システムを示す概略図。
【符号の説明】
【０１０４】
１０  娯楽遊技施設
１１  景品払出機
１１ｒ  カセットデータ読取・書込手段であるＩＣリーダライタ
１２  景品管理ターミナル
１５  現金管理機
１５ｒ  カセットデータ読取・書込手段であるＩＣリーダライタ
２０  遊技客
３０  景品交換所
３１  景品読取機
３１ａ〜３１ｃ  一次貯留部
３１ｗ  カセットデータ書込手段であるＩＣライタ
３２  入出金管理機
３３  現金払出機
４０  景品
４５  景品用カセット
４５ｈ  収容部
４５ｍ  ＩＣチップ
４５ｃ  蓋
【図１】
2005176977.tif 000003
【図２】
2005176977.tif 000004
【図３】
2005176977.tif 000005
【図４】
2005176977.tif 000006
【図５】
2005176977.tif 000007